(57)【要約】  省電力プロトコルの向上のための方法およびデバイスが提供される。一態様では、２つ以上の局に対するメッセージが送信され、メッセージが、省電力ポールを指定される時間において同時に送信するように２つ以上の局に要求する。次いで、局の各々から省電力ポールが同時に受信される。
2016540426.tif 000002
【特許請求の範囲】
【請求項１】
メッセージを２つ以上の局に送信することと、前記メッセージは、省電力ポールを指定される時間において同時に送信するように前記２つ以上の局に要求し、
前記局の各々から前記省電力ポールを同時に受信することと
を備える、ワイヤレス通信のための方法。
【請求項２】
同時に受信することは、前記省電力ポールのうちの第１の省電力ポールの少なくとも一部と、前記省電力ポールのうちの第２の省電力ポールの少なくとも一部とを、オーバーラップする時間にわたって受信することを含む、請求項１の方法。
【請求項３】
前記メッセージは、各局が前記省電力ポールを送信するスケジュールを含む、請求項１の方法。
【請求項４】
前記メッセージは、トラフィックインディケーションマップを備え、前記スケジュールは、前記トラフィックインディケーションマップに基づいて定められる、請求項３の方法。
【請求項５】
前記トラフィックインディケーションマップは、局の順序を含むビットマップを備え、各局が送信する前記スケジュールは、前記順序に基づいて決定される、請求項４の方法。
【請求項６】
前記メッセージは、特定のトリガの後の省電力ポールの前記同時送信を示し、前記トリガは、ビーコン、肯定応答およびダウンリンクパケットのうちの少なくとも１つの送信である、請求項１の方法。
【請求項７】
前記メッセージは、ビーコンフレーム、肯定応答フレームおよびクリアトゥトランスミットフレームのうちの少なくとも１つを備える、請求項１の方法。
【請求項８】
前記省電力ポールを前記同時に受信することは、アップリンクマルチユーザＭＩＭＯ送信およびアップリンクＦＤＭＡ送信のうちの少なくとも１つを受信することを備える、請求項１の方法。
【請求項９】
メッセージを２つ以上の局に送信するように構成される送信機と、前記メッセージは、省電力ポールを指定される時間において同時に送信するように前記２つ以上の局に要求し、
前記局の各々から前記省電力ポールを同時に受信するように構成される受信機と
を備える、ワイヤレス通信のためのデバイス。
【請求項１０】
前記受信機は、前記省電力ポールのうちの第１の省電力ポールの少なくとも一部と、前記省電力ポールのうちの第２の省電力ポールの少なくとも一部とを、オーバーラップする時間にわたって同時に受信するように構成される、請求項９のデバイス。
【請求項１１】
前記メッセージは、各局が前記省電力ポールを送信するスケジュールを含む、請求項９のデバイス。
【請求項１２】
前記メッセージは、トラフィックインディケーションマップを備え、前記スケジュールが、前記トラフィックインディケーションマップに基づいて定められる、請求項１１のデバイス。
【請求項１３】
前記トラフィックインディケーションマップが、局の順序を含むビットマップを備え、各局が送信する前記スケジュールは、前記順序に基づいて決定される、請求項１２のデバイス。
【請求項１４】
前記メッセージが、特定のトリガの後の省電力ポールの前記同時送信を示し、前記トリガが、ビーコン、肯定応答およびダウンリンクパケットのうちの少なくとも１つの送信である、請求項９のデバイス。
【請求項１５】
前記メッセージが、ビーコンフレーム、肯定応答フレームおよびクリアトゥトランスミットフレームのうちの少なくとも１つを備える、請求項９のデバイス。
【請求項１６】
前記受信機がさらに、アップリンクマルチユーザＭＩＭＯ送信およびアップリンクＦＤＭＡ送信のうちの少なくとも１つを受信するように構成される、請求項９のデバイス。
【請求項１７】
メッセージを２つ以上の局に送信する手段と、前記メッセージは、省電力ポールを指定される時間において同時に送信するように前記２つ以上の局に要求し、
前記局の各々から前記省電力ポールを同時に受信する手段と
を備える、ワイヤレス通信のためのデバイス。
【請求項１８】
前記受信する手段は、前記省電力ポールのうちの第１の省電力ポールの少なくとも一部と、前記省電力ポールのうちの第２の省電力ポールの少なくとも一部とを、オーバーラップする時間にわたって同時に受信するように構成される、請求項１７のデバイス。
【請求項１９】
前記メッセージは、各局が前記省電力ポールを送信するスケジュールを含む、請求項１７のデバイス。
【請求項２０】
前記メッセージは、トラフィックインディケーションマップを備え、前記スケジュールは、前記トラフィックインディケーションマップに基づいて定められる、請求項１９のデバイス。
【請求項２１】
前記メッセージは、特定のトリガの後の省電力ポールの前記同時送信を示し、前記トリガが、ビーコン、肯定応答およびダウンリンクパケットのうちの少なくとも１つの送信である、請求項１７のデバイス。
【請求項２２】
前記メッセージは、ビーコンフレーム、肯定応答フレームおよびクリアトゥトランスミットフレームのうちの少なくとも１つを備える、請求項１７のデバイス。
【請求項２３】
前記省電力ポールを同時に受信するための前記手段は、アップリンクマルチユーザＭＩＭＯ送信およびアップリンクＦＤＭＡ送信のうちの少なくとも１つを受信するように構成される、請求項１７のデバイス。
【請求項２４】
実行されるときに、プロセッサに、
メッセージを２つ以上の局に送信することと、前記メッセージは、省電力ポールを指定される時間において同時に送信するように前記２つ以上の局に要求し、
前記局の各々から前記省電力ポールを同時に受信することと
をさせる命令を備える、非一時的コンピュータ可読媒体。
【請求項２５】
同時に受信することは、前記省電力ポールのうちの第１の省電力ポールの少なくとも一部と、前記省電力ポールのうちの第２の省電力ポールの少なくとも一部とを、オーバーラップする時間にわたって受信することを含む、請求項２４の命令。
【請求項２６】
前記メッセージが、各局が前記省電力ポールを送信するスケジュールを含む、請求項２４の命令。
【請求項２７】
前記メッセージが、トラフィックインディケーションマップを備え、前記スケジュールが、前記トラフィックインディケーションマップに基づいて定められる、請求項２６の命令。
【請求項２８】
前記メッセージが、特定のトリガの後の省電力ポールの前記同時送信を示し、前記トリガが、ビーコン、肯定応答、およびダウンリンクパケットのうちの少なくとも１つの送信である、請求項２４の命令。
【請求項２９】
前記メッセージが、ビーコンフレーム、肯定応答フレームおよびクリアトゥトランスミットフレームのうちの少なくとも１つを備える、請求項２４の命令。
【請求項３０】
前記省電力ポールを同時に受信するための前記命令がさらに、アップリンクマルチユーザＭＩＭＯ送信およびアップリンクＦＤＭＡ送信のうちの少なくとも１つを受信するように構成される、請求項２４の命令。
【発明の詳細な説明】
【技術分野】
【０００１】
[0001]本開示のいくつかの態様は、一般にワイヤレス通信に関し、より具体的には、省電力プロトコルの向上のための方法およびデバイスに関する。
【背景技術】
【０００２】
[0002]多くの電気通信システムでは、いくつかの対話している空間的に離隔されたデバイスの間でメッセージを交換するために、通信ネットワークが使用される。ネットワークは、たとえば、メトロポリタンエリア、ローカルエリア、またはパーソナルエリアであり得る、地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）と呼ばれ得る。ネットワークはまた、様々なネットワークノードとデバイスとを相互接続するために使用されるスイッチング／ルーティング技法（たとえば、回線交換対パケット交換）、送信のために用いられる物理媒体のタイプ（たとえば、有線対ワイヤレス）、および使用される通信プロトコルのセット（たとえば、インターネットプロトコルスイート、ＳＯＮＥＴ（同期光ネットワーキング）、イーサネット（登録商標）など）によって異なる。
【０００３】
[0003]ワイヤレスネットワークは、ネットワーク要素がモバイルであり、したがって動的な接続性を必要とするとき、またはネットワークアーキテクチャが固定されたトポロジーではなくアドホックなトポロジーで形成されている場合にしばしば好適である。ワイヤレスネットワークは、無線、マイクロ波、赤外線、光などの周波数帯域中の電磁波を使用する非誘導伝搬モードにおいて、無形の物理媒体を用いる。ワイヤレスネットワークは、有利なことに、固定式の有線ネットワークと比較して、ユーザモビリティと迅速な現場展開とを容易にする。
【０００４】
[0004]ワイヤレス通信システムに要求される帯域幅の要件の増大という問題に対処するために、高いデータスループットを達成しながら、複数のユーザ端末がチャネルリソースを共有することによって単一のアクセスポイントと通信することを可能にするために、様々な方式が開発されている。通信リソースが限られている場合、アクセスポイントと複数の端末との間を通過するトラフィックの量を減らすことが望ましい。たとえば、複数の端末がチャネル状態情報フィードバックをアクセスポイントに送るとき、チャネル状態情報のアップリンクを完了するために、トラフィックの量を最小限にすることが望ましい。したがって、複数の端末からのチャネル状態情報のアップリンクのための改善されたプロトコルが必要である。
【発明の概要】
【０００５】
[0005]添付の特許請求の範囲内のシステム、方法、およびデバイスの様々な実装形態は、各々がいくつかの態様を有し、それらのうちのいずれの単一の態様も、単独では本明細書で説明される望ましい属性を担わない。添付の特許請求の範囲を限定することなく、いくつかの顕著な特徴が本明細書で説明される。
【０００６】
[0006]本明細書で説明される主題の１つまたは複数の実装形態の詳細は、添付の図面および以下の説明において述べられている。他の特徴、態様、および利点は、説明、図面、および特許請求の範囲から明らかになるであろう。以下の図面の相対的な寸法は、縮尺通りに描かれていないこともあることに留意されたい。
【０００７】
[0007]本開示の一態様は、ワイヤレス通信の方法を提供する。方法は、メッセージを２つ以上の局に送信することを備え、メッセージが、省電力ポールを指定される時間において同時に送信するように２つ以上の局に要求する。方法はさらに、局の各々から省電力ポールを同時に受信することを備える。
【０００８】
[0008]本開示の別の態様は、ワイヤレス通信のためのデバイスを提供する。デバイスは、メッセージを２つ以上の局に送信するように構成される送信機を備え、メッセージが、省電力ポールを指定される時間において同時に送信するように２つ以上の局に要求する。デバイスはさらに、局の各々から省電力ポールを同時に受信するように構成される受信機を備える。
【０００９】
[0009]本開示の別の態様は、ワイヤレス通信のためのデバイスを提供する。デバイスは、メッセージを２つ以上の局に送信するための手段を備え、メッセージが、省電力ポールを指定される時間において同時に送信するように２つ以上の局に要求する。デバイスは、局の各々から省電力ポールを同時に受信するための手段をさらに備える。
【００１０】
[0010]本開示の別の態様は、非一時的コンピュータ可読媒体を提供する。実行されると、プロセッサに、２つ以上の局にメッセージを送信させる、命令を備える媒体であって、メッセージが、省電力ポールを指定される時間において同時に送信するように２つ以上の局に要求する。実行されると、プロセッサに、局の各々から省電力ポールを同時に受信させる、命令をさらに備える媒体。
【図面の簡単な説明】
【００１１】
【図１】[0011]アクセスポイントとユーザ端末とを伴う多元接続多入力多出力（ＭＩＭＯ）システムを示す図。
【図２】[0012]ＭＩＭＯシステムにおけるアクセスポイント１１０と２つのユーザ端末１２０ｍおよび１２０ｘとのブロック図。
【図３】[0013]ワイヤレス通信システム内で用いられ得るワイヤレスデバイスにおいて利用され得る様々なコンポーネントを示す図。
【図４】[0014]アップリンク（ＵＬ）マルチユーザ（ＭＵ）多入力多出力（ＭＩＭＯ）／ＵＬ周波数分割多元接続（ＦＤＭＡ）が実施されない、省電力ポーリング手順の時間シーケンス図。
【図５】[0015]ＵＬ  ＭＵ  ＭＩＭＯ／ＵＬ  ＦＤＭＡを利用した、省電力ポーリング手順の時間シーケンス図。
【図６Ａ】[0016]ＵＬ  ＭＵ  ＭＩＭＯ／ＵＬ  ＦＤＭＡを利用した、省電力ポーリング手順の時間シーケンス図。
【図６Ｂ】[0017]ＵＬ  ＭＵ  ＭＩＭＯ／ＵＬ  ＦＤＭＡを利用した、省電力ポーリング手順の時間シーケンス図。
【図７】[0018]ＵＬ  ＭＵ  ＭＩＭＯ／ＵＬ  ＦＤＭＡと、スケジューリングを利用した、省電力ポーリング手順の時間シーケンス図。
【図８】[0019]ＵＬ  ＭＵ  ＭＩＭＯ／ＵＬ  ＦＤＭＡと、スケジューリングを利用した、省電力ポーリング手順の時間シーケンス図。
【図９】[0020]ＵＬ  ＭＵ  ＭＩＭＯ／ＵＬ  ＦＤＭＡと暗黙的スケジューリングとを利用した、省電力ポーリング手順の時間シーケンス図。
【図１０】[0021]ＵＬ  ＭＵ  ＭＩＭＯ／ＵＬ  ＦＤＭＡと、ダウンリンクトリガと、暗黙的スケジューリングとを利用した、省電力ポーリング手順の時間シーケンス図。
【図１１】[0022]ＵＬ  ＭＵ  ＭＩＭＯ／ＵＬ  ＦＤＭＡと、暗黙的スケジューリングを利用した、省電力ポーリング手順の時間シーケンス図。
【図１２】[0023]ＵＬ  ＭＵ  ＭＩＭＯ／ＵＬ  ＦＤＭＡと、暗黙的スケジューリングを利用した、省電力ポーリング手順の時間シーケンス図。
【図１３】[0024]ＵＬ  ＭＵ  ＭＩＭＯ／ＵＬ  ＦＤＭＡを利用した、ワイヤレス通信を提供するための方法の態様のフローチャット。
【発明を実施するための形態】
【００１２】
[0025]新規のシステム、装置、および方法の様々な態様が、以下で添付の図面を参照してより完全に説明される。しかしながら、教示開示は、多くの異なる形態で具現化され得るものであり、本開示全体にわたって提示されるいずれかの具体的な構造または機能に限定されるものと解釈されるべきでない。むしろ、これらの態様は、本開示が徹底的で完全なものとなり、本開示の範囲を当業者に完全に伝えるように与えられる。本明細書の教示に基づいて、本開示の範囲は、本発明の任意の他の態様とは無関係に実装されるか、本発明の任意の他の態様と組み合わされるかにかかわらず、本明細書で開示される新規のシステム、装置、および方法の任意の態様を包含することが意図されることを、当業者は理解されたい。たとえば、本明細書で示される任意の数の態様を使用して、装置が実装されてよく、または、方法が実践されてよい。加えて、本発明の範囲は、本明細書で述べられる本発明の様々な態様に加えて、またはそれら以外に、他の構造、機能、または構造と機能とを使用して実践される、装置または方法を包含することが意図されている。本明細書で開示されるすべての態様が、ある請求項の１つまたは複数の要素によって具現化され得ることを理解されたい。
【００１３】
[0026]特定の態様が本明細書で説明されるが、これらの態様の多数の変形と置換とが、本開示の範囲に含まれる。好ましい態様のいくつかの利益と利点とが言及されるが、本開示の範囲は、特定の利益、使用法、または目的に限定されることを意図されてはいない。むしろ、本開示の態様は、その一部が例として図面および好ましい態様の以下の説明において示される、異なるワイヤレス技術と、システム構成と、ネットワークと、伝送プロトコルとに幅広く適用可能であることが意図されている。詳細な説明と図面とは、限定的ではなく、単に本開示の実例となるものであり、本開示の範囲は、添付の特許請求の範囲とその等化物とによって定義される。
【００１４】
[0027]ワイヤレスネットワーク技術は、様々なタイプのワイヤレスローカルエリアネットワーク（ＷＬＡＮ）を含み得る。ＷＬＡＮは、広く使用されているネットワーキングプロトコルを用いて、隣接デバイスを一緒に相互接続するために使用され得る。本明細書で説明される様々な態様は、ＷｉＦｉ（登録商標）、またはより一般的にはＩＥＥＥ  ８０２．１１群のワイヤレスプロトコルの任意の成員のような、任意の通信規格に適用され得る。
【００１５】
[0028]いくつかの態様では、ワイヤレス信号は、直交周波数分割多重化（ＯＦＤＭ）、直接シーケンススペクトル拡散（ＤＳＳＳ：ｄｉｒｅｃｔ−ｓｅｑｕｅｎｃｅ  ｓｐｒｅａｄ  ｓｐｅｃｔｒｕｍ）通信、ＯＦＤＭ通信とＤＳＳＳ通信との組合せ、または他の方式を使用して、高効率８０２．１１プロトコルに従って送信され得る。高効率８０２．１１プロトコルの実装形態は、インターネットアクセス、センサ、検針、スマートグリッドネットワーク、または他のワイヤレス用途に使用され得る。有利なことに、この特定のワイヤレスプロトコルを実装するいくつかのデバイスの態様は、他のワイヤレスプロトコルを実装するデバイスよりも消費電力が少ないことがあり、短い距離にわたってワイヤレス信号を送信するために使用されることがあり、および／または、人のような物体によって遮断される確率のより低い信号を送信することが可能であり得る。
【００１６】
[0029]いくつかの実装形態では、ＷＬＡＮは、ワイヤレスネットワークにアクセスするコンポーネントである様々なデバイスを含む。たとえば、２つのタイプのデバイス、すなわちアクセスポイント（「ＡＰ」）と（局または「ＳＴＡ」とも呼ばれる）クライアントとがあり得る。一般に、ＡＰは、ＷＬＡＮのハブまたは基地局として機能し、ＳＴＡは、ＷＬＡＮのユーザとして機能する。たとえば、ＳＴＡは、ラップトップコンピュータ、携帯情報端末（ＰＤＡ）、携帯電話などであり得る。ある例では、ＳＴＡは、インターネットまたは他のワイドエリアネットワークへの全般的な接続性を取得するために、ＷｉＦｉ（たとえば、８０２．１１ａｈのようなＩＥＥＥ８０２．１１プロトコル）準拠ワイヤレスリンクを介してＡＰに接続する。いくつかの実装形態では、ＳＴＡはＡＰとして使用されることもある。
【００１７】
[0030]本明細書で説明される技法は、直交多重化方式に基づく通信システムを含む、様々なブロードバンドワイヤレス通信システムに使用され得る。そのような通信システムの例は、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどを含む。ＳＤＭＡシステムは、複数のユーザ端末に属するデータを同時に送信するのに、十分に異なる方向を利用し得る。ＴＤＭＡシステムは、送信信号を異なるタイムスロットに分割することによって、複数のユーザ端末が同じ周波数チャネルを共有することを可能にでき、各タイムスロットは異なるユーザ端末に割り当てられる。ＴＤＭＡシステムは、ＧＳＭ（登録商標）または当技術分野で知られている何らかの他の規格を実装し得る。ＯＦＤＭＡシステムは、直交周波数分割多重化（ＯＦＤＭ）を利用し、これは、システム帯域幅全体を複数の直交サブキャリアへ区分する変調技法である。これらのサブキャリアはまた、トーン、ビンなどとも呼ばれ得る。ＯＦＤＭでは、各サブキャリアはデータとは独立に変調され得る。ＯＦＤＭシステムは、ＩＥＥＥ８０２．１１または当技術分野で知られている何らかの他の規格を実装し得る。ＳＣ−ＦＤＭＡシステムは、システム帯域幅にわたって分布するサブキャリア上で送信するためにインタリーブドＦＤＭＡ（ＩＦＤＭＡ：ｉｎｔｅｒｌｅａｖｅｄ  ＦＤＭＡ）を、隣接するサブキャリアのブロック上で送信するためにローカライズドＦＤＭＡ（ＬＦＤＭＡ：ｌｏｃａｌｉｚｅｄ  ＦＤＭＡ）を、または、隣接するサブキャリアの複数のブロック上で送信するためにエンハンストＦＤＭＡ（ＥＦＤＭＡ：ｅｎｈａｎｃｅｄ  ＦＤＭＡ）を利用することができる。一般に、変調シンボルは、ＯＦＤＭでは周波数領域で、ＳＣ−ＦＤＭＡでは時間領域で送られる。ＳＣ−ＦＤＭＡシステムは、３ＧＰＰ（登録商標）−ＬＴＥ（登録商標）（第３世代パートナーシッププロジェクトロングタームエボリューション）または他の規格を実装し得る。
【００１８】
[0031]本明細書の教示は、種々の有線装置またはワイヤレス装置（たとえば、ノード）に組み込まれ得る（たとえば、その装置内で実装されるか、またはその装置によって実行され得る）。いくつかの態様では、本明細書の教示に従って実装されるワイヤレスノードはアクセスポイントまたはアクセス端末を備え得る。
【００１９】
[0032]ＡＰは、ＮｏｄｅＢ、無線ネットワークコントローラ（「ＲＮＣ」）、ｅＮｏｄｅＢ、基地局コントローラ（「ＢＳＣ」）、ベーストランシーバ局（「ＢＴＳ」）、基地局（「ＢＳ」）、送受信機機能（「ＴＦ」）、無線ルータ、無線送受信機、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００２０】
[0033]ＳＴＡは、ユーザ端末、アクセス端末（「ＡＴ」）、加入者局、加入者ユニット、移動局、遠隔局、遠隔端末、ユーザエージェント、ユーザデバイス、ユーザ機器、もしくは他の何らかの用語を備えるか、それらのいずれかとして実装されるか、またはそれらのいずれかとして知られていることがある。いくつかの実装形態では、アクセス端末は、携帯電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、またはワイヤレスモデムに接続された他の何らかの適切な処理デバイスを備え得る。したがって、本明細書で教示される１つまたは複数の態様は、電話（たとえば、携帯電話もしくはスマートフォン）、コンピュータ（たとえば、ラップトップ）、ポータブル通信デバイス、ヘッドセット、ポータブルコンピューティングデバイス（たとえば、携帯情報端末）、エンターテインメントデバイス（たとえば、音楽デバイスもしくはビデオデバイスもしくは衛星ラジオ）、ゲームデバイスもしくはゲームシステム、全地球測位システムデバイス、または、ワイヤレス媒体を介して通信するように構成された任意の他の適切なデバイスに組み込まれ得る。
【００２１】
[0034]図１は、アクセスポイントとユーザ端末とを伴う多元接続多入力多出力（ＭＩＭＯ）システム１００を示す図である。簡単のために、図１にはただ１つのアクセスポイント１１０が示される。アクセスポイント１１０は一般に、ユーザ端末１２０と通信する固定局であり、基地局と呼ばれること、または何らかの他の用語を使用して呼ばれることもある。ユーザ端末１２０またはＳＴＡは、固定式でも移動式でもよく、移動局もしくはワイヤレスデバイスと呼ばれることもあり、または何らかの他の用語を使用して呼ばれることもある。アクセスポイント１１０は、ダウンリンクおよびアップリンク上で所与の瞬間において１つまたは複数のユーザ端末１２０と通信し得る。ダウンリンク（すなわち、順方向リンク）はアクセスポイント１１０からユーザ端末１２０への通信リンクであり、アップリンク（すなわち、逆方向リンク）はユーザ端末１２０からアクセスポイント１１０への通信リンクである。ユーザ端末１２０はまた、別のユーザ端末１２０とピアツーピアで通信し得る。システムコントローラ１３０は、アクセスポイント１１０と他のアクセスポイントに結合し、アクセスポイント１１０と他のアクセスポイントの調整と制御とを行う（図示せず）。
【００２２】
[0035]以下の開示の部分は、空間分割多元接続（ＳＤＭＡ）を介して通信することが可能なユーザ端末１２０について説明するが、いくつかの態様では、ユーザ端末１２０は、ＳＤＭＡをサポートしないいくつかのユーザ端末１２０も含み得る。したがって、そのような態様では、ＡＰ１１０は、ＳＤＭＡユーザ端末１２０と非ＳＤＭＡユーザ端末１２０の両方と通信するように構成され得る。この手法は、都合のよいことに、より新しいＳＤＭＡユーザ端末が適宜に導入されることを可能にしながら、ＳＤＭＡをサポートしないより古いバージョンのユーザ端末１２０（「レガシー」局）が企業に展開されたままであることを可能にして、それらの有効寿命を延長することができる。
【００２３】
[0036]システム１００は、ダウンリンクおよびアップリンク上でのデータ送信のために複数の送信アンテナと複数の受信アンテナとを用いる。アクセスポイント１１０は、Ｎap個のアンテナを装備し、ダウンリンク送信では多入力（ＭＩ）を表し、アップリンク送信では多出力（ＭＯ）を表す。Ｋ個の選択されたユーザ端末１２０のセットは、ダウンリンク送信では多出力を集合的に表し、アップリンク送信では多入力を集合的に表す。純粋なＳＤＭＡでは、Ｋ個のユーザ端末１２０のためのデータシンボルストリームが、何らかの手段によって、コード、周波数または時間で多重化されない場合、Ｎap≦Ｋ≦１であることが望まれる。データシンボルストリームが、ＴＤＭＡ技法、ＣＤＭＡを伴う異なるコードチャネル、ＯＦＤＭを伴うサブバンドの独立セットなどを使用して多重化され得る場合、ＫはＮapよりも大きくてよい。各々の選択されたユーザ端末１２０は、ユーザ固有のデータをアクセスポイント１１０に送信し、および／またはアクセスポイント１１０からユーザ固有のデータを受信し得る。一般に、各々の選択されたユーザ端末１２０は、１つまたは複数のアンテナを装備し得る（すなわち、Ｎut≧１）。Κ個の選択されたユーザ端末１２０は同じ数のアンテナを有してよく、または、１つまたは複数のユーザ端末１２０は異なる数のアンテナを有してよい。
【００２４】
[0037]ＳＤＭＡシステム１００は、時分割複信（ＴＤＤ）システムまたは周波数分割複信（ＦＤＤ）システムであってよい。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、送信のために単一のキャリアまたは複数のキャリアを利用し得る。各ユーザ端末１２０は、（たとえば、コストを抑えるために）単一のアンテナを装備し、または（たとえば、追加のコストがサポートされ得る場合）複数のアンテナを装備し得る。送信／受信を異なるタイムスロットに分割し、各タイムスロットが異なるユーザ端末１２０に割り当てられ得ることにより、ユーザ端末１２０が同じ周波数チャネルを共有する場合、システム１００はＴＤＭＡシステムでもあり得る。
【００２５】
[0038]図２は、ＭＩＭＯシステム１００におけるアクセスポイント１１０と２つのユーザ端末１２０ｍおよび１２０ｘとのブロック図である。アクセスポイント１１０はＮt個のアンテナ２２４ａ〜２２４ａｐを装備する。ユーザ端末１２０ｍはＮut,m個のアンテナ２５２ma〜２５２muを装備し、ユーザ端末１２０ｘはＮut,x個のアンテナ２５２xa〜２５２xuを装備する。アクセスポイント１１０は、ダウンリンクでは送信エンティティであり、アップリンクでは受信エンティティである。ユーザ端末１２０は、アップリンクでは送信エンティティであり、ダウンリンクでは受信エンティティである。本明細書で使用される「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のユーザ端末がアップリンク上での同時送信のために選択され、Ｎdn個のユーザ端末がダウンリンク上での同時送信のために選択される。ＮupはＮdnに等しくても等しくなくてもよく、ＮupおよびＮdnは静的な値であってよく、またはスケジューリング間隔ごとに変化してよい。アクセスポイント１１０および／またはユーザ端末１２０においてビームステアリングまたは何らかの他の空間処理技法が使用され得る。
【００２６】
[0039]アップリンク上では、アップリンク送信のために選択された各ユーザ端末１２０において、ＴＸデータプロセッサ２８８が、データソース２８６からトラフィックデータを受信し、コントローラ２８０から制御データを受信する。ＴＸデータプロセッサ２８８は、ユーザ端末のために選択されたレートと関連付けられるコーディングおよび変調方式に基づいて、ユーザ端末のためのトラフィックデータを処理し（たとえば、符号化し、インターリーブし、変調し）、データシンボルストリームを与える。ＴＸ空間プロセッサ２９０は、データシンボルストリームに対して空間処理を実行し、Ｎut,m個のアンテナに対するＮut,m個の送信シンボルストリームを与える。各送信機ユニット（ＴＭＴＲ）２５４は、アップリンク信号を生成するために、それぞれの送信シンボルストリームを受信し、処理する（たとえば、アナログに変換し、増幅し、フィルタリングし、周波数アップコンバートする）。Ｎut,m個の送信機ユニット２５４は、Ｎut,m個のアンテナ２５２からの送信のために、たとえばアクセスポイント１１０に送信するために、Ｎut,m個のアップリンク信号を与える。
【００２７】
[0040]アップリンク上での同時送信のために、Ｎup個のユーザ端末がスケジューリングされ得る。これらのユーザ端末の各々は、それのそれぞれのデータシンボルストリームに対して空間処理を実行し、アップリンク上で送信シンボルストリームのそれのそれぞれのセットをアクセスポイント１１０に送信し得る。
【００２８】
[0041]アクセスポイント１１０において、Ｎup個のアンテナ２２４ａ〜２２４apは、アップリンク上で送信するすべてのＮup個のユーザ端末からアップリンク信号を受信する。各アンテナ２２４は、受信された信号をそれぞれの受信機ユニット（ＲＣＶＲ）２２２に与える。各受信機ユニット２２２は、送信機ユニット２５４によって実行された処理を補足する処理を実行し、受信されたシンボルストリームを与える。ＲＸ空間プロセッサ２４０は、Ｎup個の受信機ユニット２２２からのＮup個の受信されたシンボルストリームに対して受信機空間処理を実行し、Ｎup個の復元されたアップリンクデータシンボルストリームを与える。受信機空間処理は、チャネル相関行列反転（ＣＣＭＩ：ｃｈａｎｎｅｌ  ｃｏｒｒｅｌａｔｉｏｎ  ｍａｔｒｉｘ  ｉｎｖｅｒｓｉｏｎ）、最小平均２乗誤差（ＭＭＳＥ：ｍｉｎｉｍｕｍ  ｍｅａｎ  ｓｑｕａｒｅ  ｅｒｒｏｒ）、ソフト干渉消去（ＳＩＣ：ｓｏｆｔ  ｉｎｔｅｒｆｅｒｅｎｃｅ  ｃａｎｃｅｌｌａｔｉｏｎ）、または何らかの他の技法に従って実行され得る。各々の復元されたアップリンクデータシンボルストリームは、それぞれのユーザ端末によって送信されたデータシンボルストリームの推定値である。ＲＸデータプロセッサ２４２は、復号されたデータを得るために、そのストリームのために使用されたレートに従って、各々の復元されたアップリンクデータシンボルストリームを処理（たとえば、復調、デインターリーブ、および復号）する。各ユーザ端末に対する復号されたデータは、記憶のためにデータシンク２４４に与えられ、および／またはさらなる処理のためにコントローラ２３０に与えられ得る。
【００２９】
[0042]ダウンリンク上では、アクセスポイント１１０において、ＴＸデータプロセッサ２１０が、ダウンリンク送信のためにスケジュールされたＮdn個のユーザ端末のためのトラフィックデータをデータソース２０８から受信し、コントローラ２３０から制御データを受信し、場合によってはスケジューラ２３４から他のデータを受信する。様々なタイプのデータが異なるトランスポートチャネル上で送信され得る。ＴＸデータプロセッサ２１０は、各ユーザ端末のために選択されたレートに基づいて、そのユーザ端末のためのトラフィックデータを処理（たとえば、符号化、インターリーブ、および変調）する。ＴＸデータプロセッサ２１０は、Ｎdn個のユーザ端末のためのＮdn個のダウンリンクデータシンボルストリームを与える。ＴＸ空間プロセッサ２２０は、Ｎdn個のダウンリンクデータシンボルストリームに対して（プリコーディングまたはビームフォーミングのような）空間処理を実行し、Ｎup個のアンテナのためのＮup個の送信シンボルストリームを与える。各送信機ユニット２２２は、ダウンリンク信号を生成するために、それぞれの送信シンボルストリームを受信して処理する。Ｎup個の送信機ユニット２２２は、Ｎup個のアンテナ２２４からの送信のための、たとえばユーザ端末１２０に送信するための、Ｎup個のダウンリンク信号を与え得る。
【００３０】
[0043]各ユーザ端末１２０において、Ｎut,m個のアンテナ２５２は、アクセスポイント１１０からＮup個のダウンリンク信号を受信する。各受信機ユニット２５４は、関連するアンテナ２５２からの受信された信号を処理し、受信されたシンボルストリームを与える。ＲＸ空間プロセッサ２６０は、Ｎut,m個の受信機ユニット２５４からのＮut,m個の受信されたシンボルストリームに対して受信機空間処理を実行し、ユーザ端末１２０のための復元されたダウンリンクデータシンボルストリームを与える。受信機空間処理は、ＣＣＭＩ、ＭＭＳＥ、または何らかの他の技法に従って実行され得る。ＲＸデータプロセッサ２７０は、ユーザ端末のための復号されたデータを取得するために、復元されたダウンリンクデータシンボルストリームを処理（たとえば、復調、デインターリーブ、および復号）する。
【００３１】
[0044]各ユーザ端末１２０において、チャネル推定器２７８は、ダウンリンクチャネル応答を推定し、チャネル利得推定値、ＳＮＲ推定値、雑音分散などを含み得る、ダウンリンクチャネル推定値を与える。同様に、チャネル推定器２２８は、アップリンクチャネル応答を推定し、アップリンクチャネル推定値を与える。各ユーザ端末のためのコントローラ２８０は通常、ユーザ端末に対する空間フィルタ行列を、そのユーザ端末に対するダウンリンクチャネル応答行列Ｈdn,mに基づいて導出する。コントローラ２３０は、アクセスポイントに対する空間フィルタ行列を、実効アップリンクチャネル応答行列Ｈup,effに基づいて導出する。各ユーザ端末のためのコントローラ２８０は、フィードバック情報（たとえば、ダウンリンクおよび／またはアップリンク固有ベクトル、固有値、ＳＮＲ推定値など）をアクセスポイント１１０に送り得る。コントローラ２３０およびコントローラ２８０はまた、それぞれ、アクセスポイント１１０およびユーザ端末１２０における様々な処理ユニットの動作を制御し得る。
【００３２】
[0045]図３は、ワイヤレス通信システム１００内で用いられ得るワイヤレスデバイス３０２において利用され得る様々なコンポーネントを示す。ワイヤレスデバイス３０２は、本明細書で説明される様々な方法を実施するように構成され得るデバイスの例である。ワイヤレスデバイス３０２は、アクセスポイント１１０またはユーザ端末１２０を実装し得る。
【００３３】
[0046]ワイヤレスデバイス３０２は、ワイヤレスデバイス３０２の動作を制御するプロセッサ３０４を含み得る。プロセッサ３０４は、中央処理装置（ＣＰＵ）と呼ばれることもある。ワイヤレスデバイス３０２は、メモリ３０６も含み得る。メモリ３０６は、読取り専用メモリ（ＲＯＭ）とランダムアクセスメモリ（ＲＡＭ）の両方を含み、命令とデータとをプロセッサ３０４に提供し得る。メモリ３０６の一部は不揮発性ランダムアクセスメモリ（ＮＶＲＡＭ）も含み得る。プロセッサ３０４は、メモリ３０６内に記憶されたプログラム命令に基づいて論理演算および算術演算を実行し得る。メモリ３０６中の命令は、本明細書で説明される方法を実施するように実行可能であり得る。
【００３４】
[0047]プロセッサ３０４は、１つまたは複数のプロセッサにより実装された処理システムを備えてよく、またはその処理システムのコンポーネントであってよい。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェアコンポーネント、専用ハードウェア有限状態機械、または情報の計算もしくは他の操作を実行することができる任意の他の適切なエンティティの任意の組合せにより実装され得る。
【００３５】
[0048]処理システムは、ソフトウェアを記憶するための機械可読媒体も含み得る。ソフトウェアは、ソフトウェア、ファームウェア、ミドルウェア、マイクロコード、ハードウェア記述言語、または他の用語のいずれで呼ばれるかにかかわらず、任意のタイプの命令を意味するものとして広範に解釈されるべきである。命令は、（たとえば、ソースコードフォーマット、バイナリコードフォーマット、実行可能コードフォーマット、または任意の他の適切なコードのフォーマットの）コードを含み得る。命令は、１つまたは複数のプロセッサによって実行されると、処理システムに、本明細書で説明される様々な機能を実行させる。
【００３６】
[0049]ワイヤレスデバイス３０２は、ワイヤレスデバイス３０２と遠隔位置との間のデータの送受信を可能にするための、送信機３１０と受信機３１２とを含み得る筐体３０８も含み得る。送信機３１０および受信機３１２は、送受信機３１４に結合され得る。単一または複数の送受信機アンテナ３１６は、筐体３０８に取り付けられ、送受信機３１４に電気的に結合され得る。ワイヤレスデバイス３０２はまた、複数の送信機と、複数の受信機と、複数の送受信機とを含み得る（図示せず）。
【００３７】
[0050]ワイヤレスデバイス３０２は、送受信機３１４によって受信された信号のレベルを検出して定量化するために使用され得る信号検出器３１８も含み得る。信号検出器３１８は、総エネルギー、シンボルごとのサブキャリア当たりのエネルギー、電力スペクトル密度、および他の信号のような信号を検出し得る。ワイヤレスデバイス３０２は、信号の処理に使用されるデジタル信号プロセッサ（ＤＳＰ）３２０も含み得る。
【００３８】
[0051]ワイヤレスデバイス３０２の様々なコンポーネントは、データバスに加えて、電力バスと、制御信号バスと、ステータス信号バスとを含み得る、バスシステム３２２によって一緒に結合され得る。
【００３９】
[0052]本開示のいくつかの態様は、複数のＳＴＡ１２０からＡＰ１１０へのアップリンク（ＵＬ）省電力ポール（ＰＳ−Ｐｏｌｌ）の同時送信をサポートする。いくつかの実施形態では、ＵＬ  ＰＳ−Ｐｏｌｌは、マルチユーザＭＩＭＯ（ＭＵ  ＭＩＭＯ）システムにおいて送信され得る。代替的に、ＵＬ  ＰＳ−Ｐｏｌｌは、マルチユーザＦＤＭＡ（ＭＵ  ＦＤＭＡ）システム、または同様のＦＤＭＡシステムにおいて送信され得る。具体的には、図４〜図１４は、ＵＬ  ＦＤＭＡ送信に同様に適用される、ＵＬ  ＭＵ  ＭＩＭＯ送信を描いている。これらの実施形態では、ＵＬ  ＭＵ  ＭＩＭＯ送信またはＵＬ  ＦＤＭＡ送信は、複数のＳＴＡ１２０からＡＰ１１０に同時に送られてよく、ワイヤレス通信における効率性を生み出すことができる。図４〜図１２は、同じ時間に開始し同じ終了時間に終了するＰＳ−Ｐｏｌｌ送信を示すが、同時送信とは、あるワイヤレスデバイスからの送信の少なくとも一部が、別のワイヤレスデバイスからの送信の少なくとも一部とオーバーラップする時間にわたって送信される、任意の送信をいう。たとえば、第１の送信が、第１の時間に開始し、第１の時間よりも後の第２の時間に開始する第２の送信の少なくとも一部と時間的にオーバーラップする場合に、第１および第２の送信は、互いに同時であり得る。図４〜図１２は、ＡＰ１１０と複数のＳＴＡ１２０との間のデータ転送を示す時間シーケンス図である。図４〜図１２では、水平矢印は時間を表し、垂直矢印は、ＭＵ  ＭＩＭＯ／ＦＤＭＡ構成における複数のチャネルまたはストリームを表す。ボックスは、ワイヤレスデバイス（たとえばＡＰまたはＳＴＡ）によって送られるデータフレームを表し、時間軸に沿った点線は、間隔またはタイムスロットを表す。
【００４０】
[0053]ＳＴＡ１２０が省電力モードをイネーブルにする（すなわちＳＴＡ１２０が「スリープ状態」にある）と、電力消費を低減させるためにそのアンテナ２５２がディスエーブルにされる。その結果、ＳＴＡ１２０は、パケットを受信することができない。ＡＰ１１０は、スリープ中の各ＳＴＡ１２０宛てのパケットをバッファリングする。ＡＰ１１０からの各ビーコンフレームの中に含まれるのが、トラフィックインディケーションマップ（ＴＩＭ）フィールドである。ＴＩＭフィールドは、スリープ中のＳＴＡ１２０宛てのパケットがＡＰ１１０にバッファリングされていることを示すために使用されるビットマップである。ＳＴＡ１２０は、ＡＰ１１０からビーコンフレームとＴＩＭをともに受信するために、間隔を置いてウェークアップし得る。ＳＴＡ１２０は、ＴＩＭがＳＴＡ１２０のアソシエーションＩＤ（ＡＩＤ）を示していることを決定し得、ＳＴＡ１２０は、ＡＰ１１０にＰＳ−Ｐｏｌｌフレームを送り得る。ＡＰ１１０は、ＳＴＡ１２０がＡＰ１１０と関係しているときに、ＳＴＡ１２０にＡＩＤを割り当て得る。ＡＰ１１０は、各ＳＴＡ１２０に一意のＡＩＤを割り当て得る。ＴＩＭの中の各ビットは、ＡＰ１１０が送達する準備の整った、特定のＳＴＡ１２０のためにバッファリングされたトラフィックに対応し得る。たとえば、ＴＩＭの中のビット番号Ｎは、ＡＩＤがＮであるＳＴＡ１２０に送るための、バッファリングされたトラフィックをＡＰ１１０が有しているかどうかを示し得る。したがって、ＴＩＭは、局の順序を含み得る。ＴＩＭの中の局の順序は、ＡＰ１１０によって各ＳＴＡ１２０に割り当てられたＡＩＤに基づき得る。たとえば、ＴＩＭの中の局の順序において、より小さいＡＩＤが割り当てられたＳＴＡ１２０は、より大きいＡＩＤ値が割り当てられたＳＴＡ１２０より前にあり得る。
【００４１】
[0054]ＰＳ−Ｐｏｌｌを受信するとそれに応答して、ＡＰ１１０は、第１のバッファリングされたフレームをＳＴＡ１２０に送り得る。ＡＰ１１０は、そのＳＴＡ１２０のためにバッファリングされたさらなるデータをＡＰ１１０が有しているかどうかも示し得る。ＳＴＡ１２０は、ＡＰ１１０からさらなるデータについての指示を受信し得、さらなるデータがあることをＡＰ１１０がそれ以上示さなくなるまで、ＡＰ１１０にＰＳ−Ｐｏｌｌを送り続け得る。この時点で、ＳＴＡ１２０は、省電力モードに戻り得る。ＡＰ１２０が、ＳＴＡ１２０宛てのバッファリングされたパケットを破棄してしまうという可能性もある。この場合、ＴＩＭは、局のＡＩＤをそれ以上示さなくなり、ＳＴＡ１２０は省電力モードに戻り得る。
【００４２】
[0055]図４は、ＵＬ  ＭＵ  ＭＩＭＯまたはＵＬ  ＦＤＭＡ用に構成されていない、ＡＰ１１０と複数のＳＴＡ１２０との間の省電力ポーリング手順の時間シーケンス図４００である。この手順では、ＡＰ１１０が、ＴＩＭフィールドを含むビーコンフレーム４０１を、すべてのＳＴＡ１２０に送る。ＴＩＭフィールドは、第１のＳＴＡ１２０ａに、および第２のＳＴＡ１２０ｂに送るための、バッファリングされたトラフィックをＡＰ１１０が有していることを示し得る。第１のＳＴＡ１２０ａが、ＡＰ１００からビーコンフレーム４０１を受信し、それに応答してＰＳ−Ｐｏｌｌフレーム４０２をＡＰ１１０に送り得る。ＡＰ１１０は、第１のＳＴＡ１２０ａから受信されたＰＳ−Ｐｏｌｌに、肯定応答（「ＡＣＫ」）フレーム４０３を送ることによって応答し得る。第２のＳＴＡ１２０ｂも、ＡＰ１１０からビーコンフレーム４０１を受信し得、それに応答してＰＳ−Ｐｏｌｌ４０４をＡＰ１１０に送り得る。第１のＳＴＡ１２０ａおよび第２のＳＴＡ１２０ｂからＰＳ  Ｐｏｌｌ４０２と４０４とを受信しているので、ＡＰは、第１のＳＴＡ１２０ａおよび第２のＳＴＡ１２０ｂがアウェイク状態にあることを決定し得る。ＡＰ１１０は、第２のＳＴＡ１２０ｂのためにバッファリングされたデータを第２のＳＴＡ１２０ｂにデータフレーム４０５の中で送り得、その後、第１のＳＴＡ１２０ａのためにバッファリングされたデータを第１のＳＴＡ１２０ａにデータフレーム４０６の中で送り得る。このプロセスの結果は、各ＳＴＡ１２０がそのＰＳ−Ｐｏｌｌを別々に送り、追加のエアタイムを費やし、したがって、全体的なネットワーク効率を低下させるというものである。第１および第２のＳＴＡ１２０がそれらのＰＳ−Ｐｏｌｌを同時に送るプロセスであれば、全体的な送信時間を低減させ、ネットワーク効率を改善することになる。
【００４３】
[0056]図５は、ネットワーク効率を改善するためにＵＬ  ＭＵ  ＭＩＭＯまたはＵＬ  ＦＤＭＡを利用した、省電力ポーリング手順の時間シーケンス図５００である。図５の省電力ポーリング手順は、上で説明されたＭＩＭＯシステム１００において実行され得る。この手順では、ＡＰ１１０が、ＴＩＭフィールドとクリアトゥトランスミット（ＣＴＸ：ｃｌｅａｒ−ｔｏ−ｔｒａｎｓｍｉｔ）要素とを含むビーコン５０１を送信し得る。ＴＩＭは、第１のＳＴＡ１２０ａ、第２のＳＴＡ１２０ｂ、第３のＳＴＡ１２０ｃ、および第４のＳＴＡ１２０ｄに送るための、バッファリングされたデータをＡＰ１１０が有していることを示し得る。ビーコン５０１は、待ち状態になっているＤＬデータがＡＰ１１０にあるものとしてＴＩＭフィールドの中に示されているＳＴＡ１２０用の、ＵＬ  ＭＵ  ＭＩＭＯまたはＵＬ  ＦＤＭＡパラメータを提供する。この手順では、ＣＴＸ要素は、第１のＳＴＡ１２０ａおよび第２のＳＴＡ１２０ｂが送信可であることを示し得る。ＡＰ１１０からＣＴＸを受信するとそれに応答して、第１のＳＴＡ１２０ａおよび第２のＳＴＡ１０２ｂは、ビーコン５０１のＣＴＸフィールドの中に提供されたＵＬ  ＭＵ  ＭＩＭＯ／ＵＬ  ＦＤＭＡパラメータを使用して、それらのＰＳ−Ｐｏｌｌ５０２ａと５０２ｂとを、異なるストリームまたはチャネル上で同時に送信し得る。この手順では、ＣＴＸ要素を含むビーコン５０１は、第１のＳＴＡおよび第２のＳＴＡがそれらのＰＳ−Ｐｏｌｌ５０２ａと５０２ｂとを送るための、トリガとして働く。ＡＰ１１０はＰＳ−Ｐｏｌｌ５０２ａおよび５０２ｂに、ＤＬ  ＭＵ  ＭＵＭＯ、ＤＬ  ＦＭＤＡの形で、またはマルチキャストＡＣＫフレームとして第１のＳＴＡ１２０ａおよび第２のＳＴＡ１２０ｂに送られるＡＣＫフレーム５０３を送ることによって応答し得る。
【００４４】
[0057]上で説明されたように、ＡＰ１１０は、第３のＳＴＡ１２０ｃおよび第４のＳＴＡ１２０ｄに送るための、バッファリングされたデータも有し得る。ＡＰ１１０は、第３および第４のＳＴＡ１２０からの１組のＵＬ  ＭＵ  ＭＩＭＯまたはＵＬ  ＦＭＤＡ  ＰＳ−Ｐｏｌｌをトリガするために、ＡＣＫフレーム５０３を使用し得る。たとえば、ＡＰ１１０は、ＡＣＫフレーム５０３の中にＣＴＸ要素を含め得る。ＡＣＫフレーム５０３の中のＣＴＸ要素は、第３のＳＴＡ１２０ｃと第４のＳＴＡ１２０ｄとに、送信する許可を与え得る。第３のＳＴＡ１２０ｃおよび第４のＳＴＡ１２０ｄ用のＵＬ  ＭＵ  ＭＩＭＯ／ＵＬ  ＦＤＭＡパラメータは、上で説明されたように、ビーコン５０１の中に前もって定められている可能性がある。代替的に、ＣＴＸフィールドを含むＡＣＫフレーム５０３がさらに、ＭＵ  ＭＩＭＯまたはＦＤＭＡ送信に必要なパラメータを含んでもよい。ＣＴＸフィールドを含むＡＣＫ５０３を受信するとそれに応答して、第３のＳＴＡ１２０ｃおよび第４のＳＴＡ１２０ｄがそれらのＰＳ−Ｐｏｌｌ５０４ａと５０４ｂとを、ＵＬ  ＭＵ  ＭＩＭＯ／ＵＬ  ＦＤＭＡを使用してＡＰ１１０に同時に送信し得る。第１、第２、第３、および第４のＳＴＡ１２０ａ〜ｄからＰＳ−Ｐｏｌｌ５０２ａと、５０２ｂと、５０４ａと、５０４ｂとを受信するとそれに応答して、ＡＰは、ＳＴＡ１２０ａ〜ｄがアウェイク状態にあることを決定し得、ＡＰ１１０は、複数のＳＴＡ１２０にダウンリンクデータを送り得る。たとえば、ＡＰ１１０は、第１、第２、第３、および第４のＳＴＡ１２０ａ〜ｄからのＰＳ−Ｐｏｌｌ５０２ａ、５０２ｂ、５０４ａ、および５０４ｂの各々に、データフレーム５０５を用いて直接応答し得る。ＡＰ１１０は、データフレーム５０５を各ＳＴＡ１２０ａ〜ｄに、ＤＬ単一ユーザ（ＳＵ）送信またはＤＬ  ＭＵ送信のいずれかを使用して送り得る。図５に示されるように、ＡＰ１１０によって送られるビーコン５０１とＤＬ  ＡＣＫ５０３の両方は、特定の局のＵＬ  ＭＵ  ＭＩＭＯ／ＵＬ  ＦＤＭＡ送信のトリガとして機能し得る。さらに、他の実施形態では、ＡＰ１１０からのどんなＤＬパケットも、ＣＴＸ要素を含めることによってＵＬ  ＭＵ  ＭＩＭＯ／ＵＬ  ＦＤＭＡ送信のトリガとして機能することができる。
【００４５】
[0058]図５に描かれているＵＬ  ＭＵ  ＭＩＭＯ／ＵＬ  ＦＤＭＡ構成は、図４の構成によってもたらされない利点を有する。図５に示されるように、ＵＬ  ＭＵ  ＭＩＭＯまたはＵＬ  ＦＤＭＡを利用することによって、複数のＳＴＡ１２０がＰＳ−Ｐｏｌｌを同時に送信することができる。このことが、ＳＴＡ１２０がそれらのＰＳ−Ｐｏｌｌを送るのに必要な時間の長さを低減させた。
【００４６】
[0059]図６Ａは、ネットワーク効率を改善するためにＵＬ  ＭＵ  ＭＩＭＯまたはＵＬ  ＦＤＭＡを利用した、省電力ポーリング手順の時間シーケンス図６００である。図６Ａの省電力ポーリング手順は、上で説明されたＭＩＭＯシステム１００において実行され得る。この手順では、ＡＰ１１０が、ＴＩＭを含むビーコンフレーム６０１を送り得る。ＴＩＭは、第１のＳＴＡ１２０ａ、第２のＳＴＡ１２０ｂ、第３のＳＴＡ１２０ｃ、第４のＳＴＡ１２０ｄ、第５のＳＴＡ１２０ｍ、および第６のＳＴＡ１２０ｘに送るための、バッファリングされたデータをＡＰ１１０が有していることを示し得る。第１のＳＴＡ１２０ａは、省電力モードに入っている可能性があり、ビーコンフレーム６０１を受信しない可能性がある。第２のＳＴＡ１２０ｂは、ＡＰ１１０からビーコンフレーム６０１を受信し得、第２のＳＴＡ１２０ｂ用に待ち状態になっているデータをＡＰ１１０が有していることを、ＴＩＭフィールドから決定し得る。第２のＳＴＡ１２０ｂは、第２のＳＴＡ１２０ｂ用に待ち状態になっているデータをＡＰ１１０が有しているかどうかを決定するとそれに応答して、ＡＰにＰＳ−Ｐｏｌｌフレーム６０２を送り得る。本明細書で説明されるＰＳ−Ｐｏｌｌは、短フレーム間空間（ＳＩＦＳ）を用いて、競合を使用せずに送信され得る。この手順では、ビーコンフレーム６０１は、ＵＬ  ＭＵ  ＭＩＭＯ／ＵＬ  ＦＤＭＡパラメータを（たとえばＣＴＸ要素の中に）提供しないことがある。したがって、第２のＳＴＡ１２０ｂは、ＰＳ−Ｐｏｌｌ６０２を非多元接続形式で送信する。ＡＰ１１０は、第２のＳＴＡ１２０ｂからＰＳ−Ｐｏｌｌ６０２を受信し得、ＣＴＸ要素を含むＡＣＫ６０３を用いて応答し得る。ＰＳ−Ｐｏｌｌに応答してＡＰ１１０によって送られるＡＣＫ（たとえばＡＣＫ６０３）は、ＳＩＦＳを用いて、競合なしで送信され得る。ＡＣＫ６０３の中のＣＴＸ要素が、第３のＳＴＡ１２０ｃと第４のＳＴＡ１２０ｄとに、それらのＰＳ−Ｐｏｌｌを送信する許可を与え得る。ＣＴＸを含むＡＣＫ６０３は、第３のＳＴＡ１２０ｃおよび第４のＳＴＡ１２０ｄからのＵＬ  ＭＵ  ＭＩＭＯ／ＵＬ  ＦＤＭＡ送信のトリガとして働く。ＡＣＫ６０３は、ＵＬ  ＭＵ  ＭＩＭＯ／ＵＬ  ＦＤＭＡパラメータも含み得る。第３のＳＴＡ１２０ｃおよび第４のＳＴＡ１２０ｄは、ＡＣＫフレーム６０３を受信し得、それに応答して、それぞれ、ＰＳ−Ｐｏｌｌ６０４ａおよび６０４ｂを同時に送信し得る。ＡＰ１１０は、ＰＳ−Ｐｏｌｌ６０４ａと６０４ｂとを受信し得、ＡＣＫ６０５を送ることによって応答し得る。
【００４７】
[0060]上で説明されたように、ＡＰ１１０は、第５のＳＴＡ１２０ｍおよび第６のＳＴＡ１２０ｘ用に待ち状態になっているデータも有し得る。ＡＰ１１０は、第５のＳＴＡ１２０ｍ、および第６のＳＴＡ１２０ｘに、ＣＴＸフレーム６０６を送信し得る。ＣＴＸフレーム６０６は、ビーコンフレームまたはＡＣＫフレームの中に含まれているのではなく、スタンドアロンフレームとして送られる。上で説明されたように、ＣＴＸは、ＡＰ１１０からのどんなＤＬ送信の中でも送られ得る。ＣＴＸフレーム６０６は、ＳＩＦＳを用いて、またはバックオフ競合（ｂａｃｋｏｆｆ  ｃｏｎｔｅｎｔｉｏｎ）を用いて、送られ得る。ＣＴＸフレーム６０６は、第５のＳＴＡ１２０ｍおよび第６のＳＴＡ１２０ｘがそれぞれ、ＰＳ−Ｐｏｌｌ６０７ａおよび６０７ｂを同時に送信するためのトリガとして働き得る。ＡＰ１１０は、ＰＳ−Ｐｏｌｌ６０７ａと６０７ｂとを受信し得る。ＡＰ１１０は、ＳＴＡ１２０ａ〜ｄ、１２０ｍ、および１２０ｘからのＰＳ−Ｐｏｌｌ６０２、６０４ａ、６０４ｂ、６０７ａ、および６０７ｂのすべて、または一部に、ＳＴＡ１２０ａ〜ｄ、１２０ｍ、および１２０ｘのためにバッファリングされたデータを含むデータフレーム６０８を送ることによって応答し得る。ＡＰ１１０はデータを各ＳＴＡに、ＤＬ単一ユーザ（ＳＵ）送信またはＤＬ  ＭＵ送信のいずれかを使用して送り得る。
【００４８】
[0061]図６Ｂは、ネットワーク効率を改善するためにＵＬ  ＭＵ  ＭＩＭＯまたはＵＬ  ＦＤＭＡを利用した、省電力ポーリング手順の時間シーケンス図６１０である。図６Ｂの手順は、上で図６Ａを参照して説明された手順に類似している。図６Ｂに示される手順と図６Ａに示される手順との間の１つの相違は、図６Ｂでは、ＡＰ１１０が、ビーコンフレーム６０１を送信した後にＣＴＸフレーム６１２をＳＴＡ１２０に送信し得るということである。ＣＴＸフレーム６１２は、ＵＬ  ＭＵ  ＭＩＭＯ／ＵＬ  ＦＤＭＡパラメータを提供し得、ＳＴＡ１２０ａ〜ｃと、１２０ｍと、１２０ｘとに、それらのＰＳ−Ｐｏｌｌを送信する許可を与え得る。したがって、ＣＴＸフレーム６１２は、ＳＴＡ１２０ｂからのＰＳ−Ｐｏｌｌ６０２、ＳＴＡ１２０ｃからのＰＳ−Ｐｏｌｌ６０４ａ、ＳＴＡ１２０ｄからのＰＳ−Ｐｏｌｌ６０４ｂ、ＳＴＡ１２０ｍからのＰＳ−Ｐｏｌｌ６０７ａ、およびＳＴＡ１２０ｘからのＰＳ−Ｐｏｌｌ６０７ｂの送信のトリガとして働く。ＡＰ１１０は、ＳＴＡ１２０からのＰＳ−Ｐｏｌｌに、ＡＣＫ６１３をＳＴＡ１２０に送信することによって応答し得る。次いで、ＡＰ１１０は、複数のＳＴＡ１２０にデータフレーム６０８を送信し得る。
【００４９】
[0062]上で図６Ａおよび図６Ｂを参照して説明された手順では、ＡＰ１１０は、ＳＴＡ１２０からのさらなるＵＬ  ＭＵ  ＭＩＭＯ  ＰＳ−Ｐｏｌｌをトリガするために、ＳＴＡ１２０に追加のＣＴＸフレームを送信し得る。ＡＰ１１０は、追加のＣＴＸフレームを、ＣＴＸ６１２と同じ送信機会内で送信してよく、またはＡＰ１１０は、追加のＣＴＸフレームを送信するために競合アクセスを実行してよい。ＳＴＡ１２０も、それらのＰＳ−Ｐｏｌｌを送信するために競合アクセスを実行し得、その競合アクセスは、ＡＰ１１０の動作とコンフリクトする可能性がある（たとえば、ＡＰ１１０によって送信されたＣＴＸフレームが、ＳＴＡ１２０によって送信されたＰＳ−Ｐｏｌｌと衝突する可能性がある）。フレームが競合を用いて送られるとき、衝突が生じる可能性がある。対照的に、フレームがＳＩＦＳを用いて送られるとき、衝突は生じない可能性がある。衝突確率を低下させ、ネットワーク効率を改善するために、ＳＴＡ１２０は、ワイヤレスネットワーク媒体にアクセスする際に、ＡＰ１１０と比較して低い優先度を有し得る。たとえば、ＡＰ１１０だけが媒体にアクセスすることができるように、ワイヤレスネットワーク媒体が予約されてよく、またはＳＴＡ１２０に、より低優先度の競合パラメータ（たとえば調停フレーム間空間数（ａｒｂｉｔｒａｔｉｏｎ  ｉｎｔｅｒ−ｆｒａｍｅ  ｓｐａｃｉｎｇ  ｎｕｍｂｅｒ）もしくは最小競合ウィンドウパラメータ）が与えられてよい。
【００５０】
[0063]図７は、ネットワーク効率を改善するためにＵＬ  ＭＵ  ＭＩＭＯ／ＵＬ  ＦＤＭＡと制限されたアクセスウィンドウ（ＲＡＷ：ｒｅｓｔｒｉｃｔｅｄ  ａｃｃｅｓｓ  ｗｉｎｄｏｗ）情報とを利用した、省電力ポーリング手順の時間シーケンス図７００である。図７の省電力ポーリング手順は、上で説明されたＭＩＭＯシステム１００において実行され得る。この手順では、ＡＰ１１０が、ＴＩＭと、ＲＡＷ要素と、ＣＴＸとを含むビーコン７０１を送信し得る。ＴＩＭは、第１のＳＴＡ１２０ａ、第２のＳＴＡ１２０ｂ、第３のＳＴＡ１２０ｃ、第４のＳＴＡ１２０ｄ、第５のＳＴＡ１２０ｍ、および第６のＳＴＡ１２０ｘに送るための、バッファリングされたデータをＡＰ１１０が有していることを示し得る。ＲＡＷ要素は、いくつかのＳＴＡ１２０が送信することのできない、時間のウィンドウまたはスロットを定め得、それにより、いくつかの他のＳＴＡ１２０が送信することのできるスケジューリングされたタイムスロットをＡＰ１１０が作り出すことを可能にしている。この構成では、ＳＴＡ１２０は、先行するパケットからの隔たりに基づいて送信するのではなく、それらのタイムスロットに基づいて送信する。ＳＴＡ１２０は、どのタイムスロットの間にそれらが送信することができるかを、ビーコンフレーム７０１の中に含まれるＲＡＷによって示されるスケジュールに基づいて決定する。図７の時間軸に沿った点線は、ビーコンフレーム７０１の中に示されるタイムスロットウィンドウを示す。他の実施形態では、ＡＰは、各ＳＴＡ１２０についてスケジューリングされたタイムスロットを定めるために、ネットワーク割振りベクトル（ＮＡＶ）を設定し得る。ＡＰはＮＡＶを、ビーコン７０２の中、またはビーコン７０１の直後に送られる別のフレームの中に、設定し得る。ＣＴＸの中で送信がスケジューリングされているＳＴＡ１２０は、ＮＡＶ設定を無視し得る。ＮＡＶ設定は、ＳＤＭＡをサポートしないＳＴＡ１２０（たとえばレガシーＳＴＡ）のスケジューリングを行い得る。したがって、この動作モードは、ＳＤＭＡをサポートしないＳＴＡに対する保護と優先とを行い得る。
【００５１】
[0064]ビーコンフレーム７０１は、第１のＳＴＡ１２０ａおよび第２のＳＴＡ１２０ｂが、時間７９１に開始し時間７９２に終了する第１のタイムスロットの間送信する、というスケジュールを定める。このスケジュールは、第３のＳＴＡ１２０ｃおよび第４のＳＴＡ１２０ｄが、時間７９２に開始し時間７９３に終了する第２のタイムスロットの間送信することも示す。このスケジュールは、第５のＳＴＡ１２０ｍが、時間７９３に開始し時間７９４に終了する第３のタイムスロットの間送信することも示す。ＡＰ１１０は、すべてのＳＴＡ１２０用のＭＵ  ＭＩＭＯ／ＦＤＭＡパラメータを、ビーコンフレーム７０１の中に含まれるＣＴＸ要素の中に提供し得る。ビーコンフレーム７０１の中に示されるスケジュールに従って、第１のＳＴＡ１２０ａおよび第２のＳＴＡ１２０ｂがそれらのＰＳ−Ｐｏｌｌ７０２ａと７０２ｂとを、第１のタイムスロットの間、ビーコンフレーム７０１の中に示されるＵＬ  ＭＵ  ＭＩＭＯ／ＵＬ  ＦＤＭＡパラメータを使用してＡＰ１１０に送信し得る。ＡＰ１１０は、ＰＳ−Ｐｏｌｌ７０２ａおよび７０２ｂに、ＡＣＫフレーム７０３を用いて応答し得る。ビーコンフレーム７０１の中に示されるスケジュールに従って、第３のＳＴＡ１２０ｃおよび第４のＳＴＡ１２０ｄがＰＳ−Ｐｏｌｌ７０４ａとＰＳ−Ｐｏｌｌ７０４ｂとを、ビーコンフレーム７０１の中に示されるＵＬ  ＭＵ  ＭＩＭＯ／ＵＬ  ＦＤＭＡを使用して同時に送信し得る。ＡＰ１１０は、ＰＳ−Ｐｏｌｌ７０４ａおよび７０４ｂに、ＡＣＫフレーム７０５を用いて応答し得る。ビーコンフレーム７０１の中に示されるスケジュールに従って、第５のＳＴＡ１２０ｍがＰＳ−Ｐｏｌｌ７０６を送信し得、このＰＳ−Ｐｏｌｌ７０６は、任意の他の局からのＰＳ−Ｐｏｌｌと時間的にオーバーラップしない。たとえば、ＰＳ−Ｐｏｌｌ７０６の少なくとも一部が、別のＰＳ−Ｐｏｌｌの少なくとも一部の送信とオーバーラップする時間にわたって送信されることはない。第６のＳＴＡ１２０ｘは、第５のＳＴＡ１２０ｍとともに送信するようにスケジューリングされていた可能性があるが、第６のＳＴＡ１２０ｘは、アウェイク状態にない可能性があり、ビーコンフレーム７０１を受信していない可能性がある。ＡＰ１１０は、第５のＳＴＡ１２０ｍからＰＳ−Ｐｏｌｌ７０６を受信し得、ＡＣＫフレーム７０７を用いて応答し得る。図７に示されるように、ビーコンフレーム７０１によって定められるスケジュールは、ＰＳ−Ｐｏｌｌの同時送信をスケジューリングすることによって、ネットワーク効率を改善し得る。このスケジュールがネットワーク効率を改善するのは、ＭＵ  ＭＩＭＯ／ＦＤＭＡ  ＰＳ−Ｐｏｌｌの送信をトリガするために、ＣＴＸを含む、ＡＰ１１０からのＤＬ送信が必要とされないからである。この構成は、何らかの理由でＣＴＸがＳＴＡ１２０によって受信されない場合に生じることのある遅延の可能性を低減させる。スケジューリングは、局がＰＳ−Ｐｏｌｌを独立に送ることのできる機能がディスエーブルされている場合にも、有用となり得る。
【００５２】
[0065]図８は、ネットワーク効率を改善するためにＵＬ  ＭＵ  ＭＩＭＯ／ＵＬ  ＦＤＭＡと、ＰＳ−Ｐｏｌｌのスケジューリングとを利用した、省電力ポーリング手順の時間シーケンス図８００である。図８の省電力ポーリング手順は、上で説明されたＭＩＭＯシステム１００において実行され得る。ＡＰ１１０が、ＴＩＭと、ＲＡＷと、ＣＴＸ要素とを含むビーコンフレーム８０１を送信し得る。ＴＩＭは、第１のＳＴＡ１２０ａ、第２のＳＴＡ１２０ｂ、第３のＳＴＡ１２０ｃ、第４のＳＴＡ１２０ｄ、第５のＳＴＡ１２０ｍ、および第６のＳＴＡ１２０ｘに送るための、バッファリングされたデータをＡＰ１１０が有していることを示し得る。図８に示されるように、ビーコンフレーム８０１の中のＲＡＷによって定められるスケジュールが、ＳＴＡ１２０ａ〜ｄ、１２０ｍ、および１２０ｘにそれらのＰＳ−Ｐｏｌｌを、後続のビーコンフレーム８０８の直前にあるタイムスロットの中で送信させ得る。ＲＡＷ要素は、第１のＳＴＡ１２０ａおよび第２のＳＴＡ１２０ｂがそれぞれ、ＰＳ−Ｐｏｌｌ８０２ａおよび８０２ｂを、時間８９１に開始し時間８９２に終了する第１のタイムスロットの中で、ビーコンフレーム８０１の中に設定されたＵＬ  ＭＩＭＯ／ＵＬ  ＦＤＭＡパラメータに従って同時に送信するスケジュールを示し得る。ＡＰ１１０は、ＰＳ−Ｐｏｌｌ８０２ａと８０２ｂとを受信し得、ＡＣＫ８０３を送信することによって応答し得る。時間８９２に開始し時間８９３に終了する第２のタイムスロットでは、第３のＳＴＡ１２０ｃおよび第４のＳＴＡ１２０ｄがそれぞれ、ＰＳ−Ｐｏｌｌ８０４ａおよび８０４ｂを、ＲＡＷ要素の中に示されるスケジュールに従って、ＡＰ１１０に同時に送信し得る。ＡＰ１１０は、ＰＳ−Ｐｏｌｌ８０４ａおよび８０４ｂに、ＡＣＫ８０５を用いて応答し得る。時間８９３に開始し時間８９４に終了する第３のタイムスロットの間、第５のＳＴＡ１２０ｍがＡＰ１１０にＰＳ−Ｐｏｌｌ８０６を送信し得、ＡＰ１１０がＡＣＫ８０７を用いて応答する。第６のＳＴＡ１２０ｘは、待ち状態になっているデータがＡＰ１１０にあるものとしてＴＩＭの中に特定されている可能性があり、第３のタイムスロットの間にＳＴＡ５と同時にＰＳ−Ｐｏｌｌを送信するようにスケジューリングされていた可能性がある。しかしながら、ＳＴＡ６は、スリープ中であった可能性があり、ビーコンフレーム８０１を受信していない可能性がある。
【００５３】
[0066]ＳＴＡ１２０を、次のビーコン８０８の直前にそれらのＰＳ−Ｐｏｌｌを送るようにスケジューリングすることにより、どのＳＴＡ１２０がスリープ中であるかをＡＰ１１０が知ることが可能になり、それにより、ＡＰ１１０がそのビーコン８０８の中で、スリープ中のＳＴＡ１２０に対処しなくなるので、図８の手順は有益である。図６Ａに示されるように、第６のＳＴＡ１２０ｘはスリープ中であり、ビーコン８０１を受信しなかったので、ＡＰ１１０は、第６のＳＴＡ１２０ｘを後続のビーコン８０１の中にスケジューリングしない可能性がある。この構成がもたらす１つの利益は、ＡＰ１１０が、アウェイク状態にあるとＡＰ１１０がわかっている局に対処することができ、スリープ状態にあるとＡＰ１１０がわかっている局に対処するのを遅延させることができ、それにより、スリープ中のＳＴＡ１２０はそれらが使用しないタイムスロットの中にスケジューリングされないので、ネットワーク効率が改善するというものである。この構成により、後続のビーコン８０８のＴＩＭフィールドが、スリープ中であるとわかっているＳＴＡ１２０に対処しなくなるので、より短くなることも可能になる。
【００５４】
[0067]上で説明されたように、ビーコンのＲＡＷ要素が、スケジュールを定めるために使用され得る。加えて、その代わりにＴＩＭビットマップが、局をＴＩＭの中でのそれらの位置に従って暗黙的にスケジューリングするために使用されてもよい。暗黙的スケジューリング方式の一例では、ＴＩＭの中にリストされている第１の局が、第１のチャネル／ストリームを使用し得、ＴＩＭの中にリストされている第２の局が、第２のチャネル／ストリームを使用し得、以下同様である。しかしながら、暗黙的スケジュールは、ＴＩＭビットマップに基づいて、任意の適切な様式で決定され得る。特定のタイムスロットのチャネル／ストリームがフルになると、ＰＳ−Ｐｏｌｌを送信する必要のある残りの局は、フルになっていない後続のタイムスロットを使用し得る。
【００５５】
[0068]図９は、ＴＩＭに基づく暗黙的スケジューリングを使用した、省電力ポーリング手順の時間シーケンス図９００である。図９の省電力ポーリング手順は、上で説明されたＭＩＭＯシステム１００において実行され得る。ＡＰ１１０が、ＴＩＭと、ＲＡＷと、ＣＴＸ要素とを含むビーコンフレーム９０１を送信し得る。ＴＩＭのビットマップが、順番に、第１のＳＴＡ１２０ａ、第２のＳＴＡ１２０ｂ、第３のＳＴＡ１２０ｃ、第４のＳＴＡ１２０ｄ、第５のＳＴＡ１２０ｍ、および第６のＳＴＡ１２０ｘに送るための、バッファリングされたデータをＡＰ１１０が有していることを示し得る。６つのＳＴＡ１２０ａ〜ｄ、１２０ｍ、および１２０ｘは、ＴＩＭに基づいて、暗黙的スケジュールを決定し得る。ＳＴＡ１２０は、ＴＩＭの中でのそれらの順序に基づいて、ＰＳ−Ｐｏｌｌｉｎｇスケジュールの中でのそれらの順序を決定し得る。ビーコン９０１は、第１のＳＴＡ１２０ａと第２のＳＴＡ１２０ｂとを、ビーコンフレーム９０１を受信した直後にそれらのＰＳ−Ｐｏｌｌ９０２ａと９０２ｂとを同時に送信するようにスケジューリングし得る。暗黙的スケジュールは、第３のＳＴＡ１２０ｃと第４のＳＴＡ１２０ｄとにそれらのＰＳ−Ｐｏｌｌ９０３ａと９０３ｂとを、時間９９１に開始し時間９９２に終了する第１のタイムスロットの中で同時に送信させ得る。暗黙的スケジュールは、第５のＳＴＡ１２０ｍと第６のＳＴＡ１２０ｘとにそれらのＰＳ−Ｐｏｌｌ９０４ａと９０４ｂとを、時間９９２に開始し時間９９３に終了する後続のタイムスロットの中で同時に送信させ得る。スケジュールＳＴＡがそれらのＰＳ−Ｐｏｌｌを送る間に、他のＳＴＡを抑えるために、ＲＡＷフィールドがビーコンフレーム９０１の中に依然として含まれていてよい。ビーコンフレーム９０１の中に含まれるＣＴＸ要素は、ＵＬ  ＭＵ  ＭＩＭＯ／ＵＬ−ＦＤＭＡ送信に必要なパラメータを詳述するために使用され得る。ＰＳ−Ｐｏｌｌメッセージを送信するようにスケジューリングされているＳＴＡのタイミングおよび数は、ビーコンフレームによって提供されるスケジュールの中に示されてよく、またはあらかじめ決定されてよい。
【００５６】
[0069]図１０は、ＤＬトリガと暗黙的スケジューリングの両方を使用した、省電力ポーリング手順の時間シーケンス図１０００である。図１０の省電力ポーリング手順は、上で説明されたＭＩＭＯシステム１００において実行され得る。ＡＰが、ＴＩＭと、ＲＡＷと、ＣＴＸ要素とを含むビーコンフレーム１００１を送信し得る。ＴＩＭは、厳密なタイムスロットに対応するのではなく、ＤＬパケットによってトリガされる局のグループの順序付けに対応する、暗黙的スケジュールを示し得る。ＴＩＭは、第１のＳＴＡ１２０ａ、第２のＳＴＡ１２０ｂ、第３のＳＴＡ１２０ｃ、第４のＳＴＡ１２０ｄ、第５のＳＴＡ１２０ｍ、および第６のＳＴＡ１２０ｘに送るための、バッファリングされたデータをＡＰ１１０が有していることを示し得る。ＲＡＷは、ＰＳ−Ｐｏｌｌを送るようにスケジューリングされていないＳＴＡを抑えるために使用され得、ＣＴＸ要素は、ＳＴＡによって使用されるＵＬ−ＭＵ−ＭＩＭＯ／ＵＬ  ＦＤＭＡパラメータを含み得る。ビーコンフレーム１００１の中のＣＴＸ要素は、第１のＳＴＡ１２０ａがそのＰＳ−Ｐｏｌｌ１００２ａをＡＰ１１０に送るための、および第２のＳＴＡがそのＰＳ−Ｐｏｌｌ１００２ｂをＡＰ１１０に送るための、トリガとして働き得る。ＡＰ１１０は、ＰＳ−Ｐｏｌｌ１００２ａおよび１００２ｂに、ＡＣＫフレーム１００３を送ることによって応答し得る。ＡＣＫフレーム１００３は、第３のＳＴＡ１２０ｃがそのＰＳ−Ｐｏｌｌ１００４ａを送るための、および第４のＳＴＡ１２０ｄがそのＰＳ−Ｐｏｌｌ１００４ｂを送るための、トリガとして働き得る。ＡＰ１１０は、ＰＳ−Ｐｏｌｌ１００４ａおよび１００４ｂに、ＡＣＫフレーム１００５を用いて応答し得る。ＡＣＫフレーム１００５は、第５のＳＴＡ１２０ｍおよび第６のＳＴＡ１２０ｘがそれぞれ、それらのＰＳ−Ｐｏｌｌ１００６ａおよび１００６ｂを送信するための、トリガとして働き得る。上で説明されたように、ＡＰ１１０からいくつかのＳＴＡに向かうＡＣＫが、他のＳＴＡからのＰＳ−Ｐｏｌｌをトリガするために使用され得る。
【００５７】
[0070]図１１は、ＴＩＭに基づく暗黙的スケジューリングを使用した、省電力ポーリング手順の時間シーケンス図１１００である。図１１の省電力ポーリング手順は、上で説明されたＭＩＭＯシステム１００において実行され得る。ＡＰ１１０が、ＴＩＭと、ＣＴＸ要素とを含むビーコンフレーム１１０１を送信し得る。ＴＩＭは、第１のＳＴＡ１２０ａ、第２のＳＴＡ１２０ｂ、第３のＳＴＡ１２０ｃ、第４のＳＴＡ１２０ｄ、第５のＳＴＡ１２０ｍ、および第６のＳＴＡ１２０ｘに送るための、バッファリングされたデータをＡＰ１１０が有していることを示し得る。上で説明されたように、ＴＩＭは、局の順序を含み得る。局の順序は、各ＳＴＡ１２０に割り当てられたＡＩＤに基づき得る。ＳＴＡ１２０は、ＴＩＭの中の局の順序に基づいて、ＰＳ−Ｐｏｌｌを送信するためのタイムスロットを暗黙的にスケジューリングするように構成され得る。第２のＳＴＡ１２０ｂは、ＴＩＭの中にリストされ得るが、スリープ状態にある可能性があり、ビーコンフレーム１１０１を受信しない可能性がある。ビーコンフレーム１１０１は、第２のＳＴＡ１２０ｂがそのＰＳ−Ｐｏｌｌを送らない可能性のある間、第１のＳＴＡ１２０ａをトリガして、そのＰＳ−Ｐｏｌｌ１１０２ａを直ちに送信させ得る。ＡＰ１１０は、ＰＳ−Ｐｏｌｌ１１０２ａに、ＡＣＫ１１０３を用いて応答し得、このＡＣＫ１１０３は、ＰＳ−Ｐｏｌｌの送信のトリガとして働かない。その代わりにＴＩＭが、第３のＳＴＡ１２０ｃおよび第４のＳＴＡ１２０ｄをそれぞれ、ＰＳ−Ｐｏｌｌ１１０４ａおよび１００４ｂを時間１１９１に開始し時間１１９２に終了する第１のタイムスロットの中で送信するように、暗黙的にスケジューリングする。ＡＰ１１０は、受信されたＰＳ−Ｐｏｌｌ１１０４ａおよび１１０４ｂに、ＡＣＫ１１０５を用いて応答し得、このＡＣＫ１１０５は、ＰＳ−Ｐｏｌｌ送信のトリガとして働かない。ＴＩＭが、暗黙的スケジュールの中で、時間１１９２に開始する第２のタイムスロットを示し得る。第５のＳＴＡ１２０ｍおよび第６のＳＴＡ１２０ｘがそれぞれ、暗黙的スケジュールによってトリガされて、それらのＰＳ−Ｐｏｌｌ１１０６ａおよび１１０６ｂを、時間１１９２の第２のタイムスロットの間同時に送信する。ビーコンフレーム１１０１は、スケジューリングされていないＳＴＡを抑えるように構成されるＲＡＷ要素も含み得、ビーコンフレーム１１０１は、ＣＴＸ要素を、ＰＳ−ＰｏｌｌのＵＬ  ＭＵ  ＭＩＭＯ／ＵＬ  ＦＤＭＡ送信用のパラメータを示すために使用し得る。
【００５８】
[0071]図１２は、ＴＩＭに基づく暗黙的スケジューリングを使用した、省電力ポーリング手順の時間シーケンス図１２００である。図１２の省電力ポーリング手順は、上で説明されたＭＩＭＯシステム１００において実行され得る。ＡＰ１１０が、ＴＩＭを含むビーコンフレーム１２０１を送信し得る。ＴＩＭは、第１のＳＴＡ１２０ａ、第２のＳＴＡ１２０ｂ、第３のＳＴＡ１２０ｃ、第４のＳＴＡ１２０ｄ、第５のＳＴＡ１２０ｍ、および第６のＳＴＡ１２０ｘに送るための、バッファリングされたデータをＡＰ１１０が有していることを示し得る。ＡＰ１１０は、８０ＭＨｚの総帯域幅を有するように構成され得、帯域幅チャンクサイズは２０ＭＨｚ以下とすることができる。２０ＭＨｚ以下の帯域幅チャンクサイズが３つ組み合わされても８０ＭＨｚの総帯域幅未満なので、この構成は、３つの局がＵＬ  ＦＤＭＡを使用して同時に送信することを可能にする。ビーコンフレーム１２０１の中のＴＩＭによって設定される暗黙的スケジュールは、第１、第２、および第３のＳＴＡ１２０ａ〜ｃがそれぞれ、ＰＳ−Ｐｏｌｌ１２０２ａ、１２０２ｂ、および１２０２ｃを時間１２９１に同時に送信するためのトリガとして働き得る。ＳＴＡ１２０ａ〜ｃの各々は、それらのＰＳ−Ｐｏｌｌを、８０ＭＨｚ帯域幅全体のうちの２０ＭＨｚ以下を使用して送信し得る。暗黙的スケジュールは、第４、第５、および第６のＳＴＡ１２０ｄ、１２０ｍ、および１２０ｘが、それらのそれぞれのＰＳ−Ｐｏｌｌ１２０３ａと、１２０３ｂと、１２０３ｃとを同時に送信するようにスケジューリングされる、時間１２９２に開始する第２のタイムスロットを示し得る。上で説明されたように、ＰＳ−Ｐｏｌｌは、他のＤＬフレームによってトリガされてもよい。
【００５９】
[0072]上で図５〜図１２を参照して説明された実施形態では、ＰＳ−Ｐｏｌｌフレームが、他のタイプのフレームによって置き換えられ得る。たとえば、サービス品質ヌルフレーム（ｑｕａｌｉｔｙ  ｏｆ  ｓｅｒｖｉｃｅ  ｎｕｌｌ  ｆｒａｍｅ）、データフレーム、管理フレーム、制御フレーム、または任意の他のフレームが、ＳＴＡがアウェイク状態にあることをＡＰに示すために提供され得る。
【００６０】
[0073]図１３は、本明細書で説明されるいくつかの実施形態に従ってワイヤレス通信を行うための方法の一態様のフローチャート１３００である。上で図４〜図１２に関して論じられたように、方法１３００が任意の適切なデバイスまたはシステムによって実装され得ることを当業者は理解するだろう。たとえば、本方法は、上で説明されたＭＩＭＯシステム１００に実装され得る。
【００６１】
[0074]動作ブロック１３０１において、省電力ポールを特定の時間において同時に送信するように２つ以上の局に要求するメッセージが、それらの２つ以上の局に送信される。動作ブロック１３０２において、それらの局からの省電力ポールが同時に受信される。
【００６２】
[0075]上で説明された様々な手順と実施形態とを実行および実装するために、ワイヤレス通信のためのデバイスが提供され得る。デバイスは、メッセージを２つ以上の局に送信するための手段を含み得、メッセージが、省電力ポールを指定される時間において同時に送信するように２つ以上の局に要求する。デバイスはさらに、局の各々から省電力ポールを同時に受信するための手段を含み得る。
【００６３】
[0076]情報および信号は多種多様な技術および技法のいずれかを使用して表され得ることを、当業者は理解するだろう。たとえば、上の説明全体を通じて言及され得るデータと、命令と、コマンドと、情報と、信号と、ビットと、シンボルと、チップとが、電圧、電流、電磁波、磁場または磁性粒子、光場または光学粒子、あるいはそれらの任意の組合せによって表され得る。
【００６４】
[0077]本開示で説明される実装形態への様々な修正が当業者に容易に明らかであり得るとともに、本明細書で定義される包括的な原理は、本開示の趣旨または範囲を逸脱することなく、他の実装形態にも適用され得る。したがって、本開示は、本明細書で示された実装形態に限定されるものではなく、本明細書で開示される特許請求の範囲、原理および新規の特徴に一致する、最も広い範囲を与られるべきである。「例示的」という単語は、本明細書ではもっぱら「例、事例、または例示として機能すること」を意味するために使用される。本明細書で「例示的」として説明されるいかなる実装形態も、必ずしも他の実装形態よりも好ましいか、または有利であると解釈されるべきではない。
【００６５】
[0078]別個の実装形態の文脈で本明細書で説明された特定の特徴はまた、単一の実装形態において組合せで実装され得る。逆に、単一の実装形態の文脈で説明された様々な特徴は、複数の実装形態において別々に、または任意の適切な部分的な組合せで実装され得る。その上、特徴は、ある組合せで働くものとして上で説明され、初めにそのように請求されることさえあるが、請求される組合せからの１つまたは複数の特徴は、場合によってはその組合せから削除されてよく、請求される組合せは、部分的な組合せ、または部分的な組合せの変形を対象とし得る。
【００６６】
[0079]上で説明された方法の様々な動作は、様々なハードウェアコンポーネントおよび／もしくはソフトウェアコンポーネント、回路、ならびに／またはモジュールのような、動作を実行することが可能な任意の適切な手段によって実行され得る。一般に、図に示された任意の動作は、その動作を実行することが可能な対応する機能的手段によって実行され得る。
【００６７】
[0080]本開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、個別ゲートもしくはトランジスタ論理、個別ハードウェアコンポーネント、または本明細書で説明された機能を実行するように設計されたそれらの任意の組合せにより、実装または実行され得る。汎用プロセッサは、マイクロプロセッサであり得るが、代替的に、プロセッサは、任意の市販のプロセッサ、コントローラ、マイクロコントローラ、または状態機械であり得る。また、プロセッサは、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、あるいは任意の他のそのような構成として実装され得る。
【００６８】
[0081]１つまたは複数の態様では、説明された機能は、ハードウェア、ソフトウェア、ファームウェア、またはそれらの任意の組合せで実装され得る。ソフトウェアで実装される場合、機能は、１つまたは複数の命令またはコードとして、コンピュータ可読媒体上に記憶され得るか、またはコンピュータ可読媒体を介して送信され得る。コンピュータ可読媒体は、コンピュータ記憶媒体と、ある場所から別の場所へのコンピュータプログラムの転送を容易にする任意の媒体を含む通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形態の所望のプログラムコードを搬送もしくは記憶するために使用され得るとともにコンピュータによってアクセスされ得る、任意の他の媒体を備え得る。また、任意の接続が、適切にコンピュータ可読媒体と呼ばれる。たとえば、同軸ケーブル、光ファイバーケーブル、ツイストペア、デジタル加入者線（ＤＳＬ）、または赤外線、無線、およびマイクロ波などのワイヤレス技術を使用して、ソフトウェアがウェブサイト、サーバまたは他のリモートソースから送信される場合、同軸ケーブル、光ファイバーケーブル、ツイストペア、ＤＳＬ、または赤外線、無線、およびマイクロ波などワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は、非一時的コンピュータ可読媒体（たとえば有形媒体）を備え得る。さらに、いくつかの態様では、コンピュータ可読媒体は、一時的コンピュータ可読媒体（たとえば信号）を備え得る。上の組合せも、コンピュータ可読媒体の範囲の中に含まれるべきである。
【００６９】
[0082]本明細書に開示された方法は、説明された方法を達成するための１つまたは複数のステップまたはアクションを備える。本方法のステップおよび／またはアクションは、特許請求の範囲から逸脱することなく、互いに交換され得る。言い換えれば、ステップまたはアクションの特定の順序が明記されていない限り、特定のステップおよび／またはアクションの順序および／または使用は、特許請求の範囲を逸脱することなく修正され得る。
【００７０】
[0083]さらに、本明細書で説明された方法と技法とを実行するためのモジュールおよび／または他の適切な手段は、適用可能な場合、ユーザ端末および／または基地局によってダウンロードおよび／または他の方法で取得され得ることを理解されたい。たとえば、そのようなデバイスは、本明細書で説明された方法を実行するための手段の転送を容易にするために、サーバに結合され得る。代替として、本明細書で説明された様々な方法は、ユーザ端末および／または基地局が記憶手段をデバイスに結合するかまたは提供すると様々な方法を取得することができるように、記憶手段（たとえば、ＲＡＭ、ＲＯＭ、コンパクトディスク（ＣＤ）またはフロッピーディスクのような物理記憶媒体など）を介して提供され得る。その上、本明細書で説明された方法と技法とをデバイスに提供するための任意の他の適切な技法が利用され得る。
【００７１】
[0084]上記は、本開示の態様を対象とするが、本開示の基本的な範囲を逸脱することなく、本開示の他の態様およびさらなる態様が考案されてよく、本開示の範囲は以下の特許請求の範囲によって決定される。
【図１】
2016540426.tif 000003
【図２】
2016540426.tif 000004
【図３】
2016540426.tif 000005
【図４】
2016540426.tif 000006
【図５】
2016540426.tif 000007
【図６Ａ】
2016540426.tif 000008
【図６Ｂ】
2016540426.tif 000009
【図７】
2016540426.tif 000010
【図８】
2016540426.tif 000011
【図９】
2016540426.tif 000012
【図１０】
2016540426.tif 000013
【図１１】
2016540426.tif 000014
【図１２】
2016540426.tif 000015
【図１３】
2016540426.tif 000016
【国際調査報告】
2016540426.tif 000017
2016540426.tif 000018